(57)【特許請求の範囲】
【請求項１】
帯状に形成され、略ストレート状のバックヨークと、このバックヨークより一方向に突出した複数個のティースと、ティース間に形成された複数のＶカット溝とからなる固定子コアと、
この固定子コアのバックヨークおよびティースに形成された絶縁物と、
この絶縁物で絶縁されたティース部に巻き回わされた巻線とからなり、
巻線後に前記固定子コアを巻き曲げて筒状に形成した固定子において、
前記固定子コアのバックヨークに形成された前記絶縁物に渡り線収納用の複数本の溝を外周方向に平行に形成し、
かつ、この複数本の溝は、帯状の固定子を巻き曲げて筒状に形成しても渡り線がはみ出さない深さに形成し
複数の渡り線を複数本の溝に、直線状で、かつ、他相の渡り線と平行に配したことを特徴とする固定子。
【請求項２】
前記絶縁物の溝の底の形状を凹凸状に形成し、この凹凸状の底の面に沿うように前記コイルの渡り線を押しつけて、このコイルの渡り線を絶縁物の溝の底に固定したことを特徴とする請求項１記載の固定子。
【発明の詳細な説明】
【０００１】
【産業上の利用分野】
帯状の固定子コアの所定のティースにコイルを巻回し、このコイルの巻終わりをバックヨークに沿って渡り線を配線して次のティースにコイルを巻回して帯状の固定子を形成した後、この固定子を折り曲げて形成された筒状の固定子に関する。
【０００２】
【従来の技術】
従来におけるコイルの成形方法、およびコイルの渡り線の処理方法を図４および図５を用いて説明する。図４は、従来におけるコイルの成形方法を説明した固定子の正面図である。図５は、従来におけるコイルの渡り線の処理方法を説明した固定子の正面図である。
【０００３】
図４において、固定子コア１１は、帯状に形成されたバックヨーク１２と、このバックヨーク１２の一方の側面から延出した複数個のティース１３とで構成されている。
【０００４】
また、固定子１４は、この固定子コア１１のそれぞれのティース１３に巻回されたコイル１５と、このコイル１５と固定子コア１１の間に設けられ、コイル１５と固定子コア１１の絶縁を行うための絶縁物１６とで構成されている。
【０００５】
この絶縁物１６は、固定子コア１１のバックヨーク１２の端面部にも延出して設けられており、また、後述するコイル１５の渡り線１５ａを収納する溝１６ａが絶縁物１６の外周面に設けられている。
【０００６】
そして、それぞれのコイル１５をティース１３に巻回す巻線方法として、まず、コイル１５の一方の先端（コイルの巻始め）を任意の箇所に固定して、巻線機１７により、コイル１５を所定のティース１３に巻回す。そして、このティース１３にコイル１５を巻終えると、巻終わったコイル１５の端末（コイルの巻終わり）を把持しながら、巻線機１７は、次にコイル１５が巻回されるティース１３に移動して、このティース１３にコイル１５を巻回す。このとき、コイル１５の渡り線１５ａを絶縁物１６の溝１６ａ収納して、この溝１６ａをガイドに、巻線機１７を移動させるようにする。
【０００７】
【発明が解決しようとする課題】
図５において、前述したように、コイル１５の渡り線１５ａを溝１６ａを収納した後、固定子１４を折り曲げて、筒状の固定子を形成する際に、固定子の径差により渡り線１５ａにたるみが生じてしまう。このたるみにより、渡り線１５ａが、溝１６ａから外に外れると断線あるいはレヤーの危険性がある。
【０００８】
【課題を解決するための手段】
本発明によれば、帯状に形成され、略ストレート状のバックヨークと、このバックヨークより一方向に突出した複数個のティースと、ティース間に形成された複数のＶカット溝とからなる固定子コアと、この固定子コアのバックヨークおよびティースに形成された絶縁物と、この絶縁物で絶縁されたティース部に巻き回わされた巻線とからなり、巻線後に前記固定子コアを巻き曲げて筒状に形成した固定子において、前記固定子コアのバックヨークに形成された前記絶縁物に渡り線収納用の複数本の溝を外周方向に平行に形成し、かつ、この複数本の溝は、帯状の固定子を巻き曲げて筒状に形成しても渡り線がはみ出さない深さに形成し複数の渡り線を複数本の溝に、直線状で、かつ、他相の渡り線と平行に配したことを特徴とする固定子を提供する。
【０００９】
あるいは、前記絶縁物の溝の底の形状を凹凸状に形成し、この凹凸状の底の面に沿うように前記コイルの渡り線を押しつけて、このコイルの渡り線を絶縁物の溝の底に固定したことを特徴とする固定子を提供する。
【００１０】
【作用】
まず、所定のティースに巻回されたコイルの巻終わりを、絶縁物の溝に収納させながら、次に巻回すティースに移動させる。また、絶縁物の外周径は、すべてのティースにコイルを巻回して構成された固定子を折り曲げて筒状にした後、コイルの渡り線のたるみが、溝からはみ出さない外周径にする。
【００１１】
また、絶縁物の溝の底を凹凸形状にして、溝の底の沿面距離を長くし、この絶縁物の溝の底に渡り線を押しつけることにより、渡り線のたるみを溝の底に吸収させる。
【００１２】
【実施例】
本発明による実施例を図１〜図３を用いて説明する。図１は、本発明における帯状の固定子の正面図である。図２は、図１の固定子の部分側断面図である。図３は、図１の固定子を折り曲げて形成した固定子の正面図である。
【００１３】
図１および図２において、固定子コア１は、従来例で述べた固定子コアと同様に、帯状のバックヨーク２と、このバックヨーク２の一方の側面より延出した複数個のティース３とで構成されている。また、固定子４は、固定子コア１と、固定子コア１のティース３に巻回されたコイル５と、絶縁物６とで構成されている。そして、この固定子４を折り曲げて、筒状の固定子４を形成する。
【００１４】
絶縁物６は、固定子コア１とコイル５との間に設けられ、電気的絶縁を行うため、および、コイル５の渡り線５ａを収納し、この渡り線５ａの断線防止などを行うために設けられている。
【００１５】
渡り線５ａの断線防止用に設けられた絶縁物６は、固定子コア１のバックヨーク２の端面上に設けられ、断線防止用の絶縁物６の外周面には、複数個の溝６ａが設けられている。また、絶縁物６の外周径は、すべてのティース３にコイル５を巻回して構成された固定子４を折り曲げて筒状にした後、コイル５の渡り線５ａのたるみが、溝６ａからはみ出さない程度の外周径にする。
【００１６】
そして、従来例と同様に、巻線機（図示しない）により、コイル５を所定のティース３に巻回す。そして、このティース３にコイル５を巻終えると、巻線機は、巻終わったコイル５の端末を把持しながら、次にコイル５が巻回されるティース３に移動して、このティース３にコイル５を巻回す。このとき、コイル５の渡り線５ａを絶縁物６の溝６ａ収納して、この溝６ａをガイドに、巻線機を移動させるようにする。
【００１７】
そして、コイル５の渡り線５ａを溝６ａを収納した後、固定子４を折り曲げて、筒状の固定子を形成する際に、固定子４の径差により渡り線５ａにたるみが生じても、渡り線５ａが溝６ａから外れることはない。
【００１８】
図３において、絶縁物７に設けられている溝７ａの底の形状が、凹凸形状に形成されている。溝７ａの底の形状を凹凸形状にすることにより、溝７ａの底の沿面距離を長くすることができる。つまり、この溝７ａの底にコイル８の渡り線８ａを固定子９の外周面側から押しつけて、渡り線８ａを溝７ａの底の凹凸に沿わせて渡り線８ａも凹凸形状にすることにより、渡り線８ａのたるみを吸収させることができ、さらに、渡り線８ａは、溝の底に固定され、渡り線８ａに多少の外圧が加わっても溝７ａの外へ外れる危険性が少なくなる。
【００１９】
【発明の効果】
本発明によれば、固定子コアの端面を渡る渡り線のたるみを防止し、渡り線のたるみによる断線、レヤーなどの不具合を減少させることができる。
【００２０】
【図面の簡単な説明】
【図１】  本発明における帯状の固定子の正面図。
【図２】  図１の固定子の部分側断面図。
【図３】  図１の固定子を折り曲げて形成した固定子の正面図。
【図４】  従来におけるコイルの成形方法を説明した固定子の正面図。
【図５】  従来におけるコイルの渡り線の処理方法を説明した固定子の正面図。
【符号の説明】
１、１１…固定子コア
２、１２…バックヨーク
３、１３…ティース
４、９、１４…固定子
５、８、１５…コイル
６、７、１６…絶縁物
１７…巻線機
【図１】
0003732306.tif 000002
【図２】
0003732306.tif 000003
【図３】
0003732306.tif 000004
【図４】
0003732306.tif 000005
【図５】
0003732306.tif 000006